(57)【特許請求の範囲】
【請求項１】
画像処理装置に着脱可能で、画像処理装置に装着されて画像形成のための動作を行うユニットであって、
前記ユニット固有の情報であって、該ユニットを管理するための情報を記憶する第１データ領域と、前記ユニットを使用するユーザに関する情報を記憶する第２データ領域とを有する記憶手段を有し、
前記ユーザに関する情報は、前記第１データ領域に記憶された前記ユニットを管理するための情報を暗号化キーとして使用して暗号化された情報であることを特徴とするユニット。
【請求項２】
前記ユニットは、電子写真方式で画像形成を行う前記画像処理装置に着脱可能なプロセスカートリッジ、トナーカートリッジ、定着ユニット、給紙ユニットのうちの少なくとも一つであることを特徴とする請求項１に記載のユニット。
【請求項３】
前記プロセスカートリッジは、帯電手段、現像手段、クリーニング手段のうちの少なくとも一つと、電子写真感光体とを一体的に構成したものであることを特徴とする請求項２に記載のユニット。
【請求項４】
前記第１のデータ領域には前記ユニットを管理するための複数の情報が記憶されており、前記第２データ領域の情報は、前記ユニットを管理するための複数の情報を暗号化キーとして使用して暗号化されることを特徴とする請求項１に記載のユニット。
【請求項５】
記憶手段を備えた画像形成のためのユニットが着脱可能であり、
前記記憶手段へのデータの読み書きを制御する制御手段を有する画像処理装置であって、
前記記憶手段は、前記ユニット固有の情報であって、該ユニットを管理するための情報を記憶する第１データ領域と前記ユニットを使用するユーザに関する情報を記憶する第２データ領域とを有し、
前記制御手段は、前記第１データ領域に記憶された前記ユニットを管理する情報を使用して前記ユーザに関する情報を暗号化して、暗号化した情報を前記第２データ領域に対して書き込むよう制御することを特徴とする画像処理装置。
【請求項６】
前記画像処理装置は、電子写真方式で画像形成を行う装置であって、
前記ユニットは、プロセスカートリッジ、定着ユニット、給紙ユニットのうちの少なくとも一つであることを特徴とする請求項５に記載の画像処理装置。
【請求項７】
前記第１のデータ領域には前記ユニットを管理するための複数の情報が記憶されており、
前記制御手段は、前記ユニットを管理するための複数の情報を使用いて、前記ユーザに関する情報を暗号することを特徴とする請求項５に記載の画像処理装置。
【請求項８】
画像処理装置に着脱可能で、画像処理装置内で画像形成のための動作を行うユニットに搭載される記憶装置であって、
前記ユニット固有の情報であって、該ユニットを管理するための情報を記憶する第１データ領域と、前記ユニットを使用するユーザに関するの情報を記憶する第２データ領域とを有し、
前記ユーザに関するの情報は、前記第１データ領域に記憶された前記ユニットを管理するための情報を使用して暗号化されて前記第２データ領域に書き込まれる情報であることを特徴とする記憶装置。
【発明の詳細な説明】
【０００１】
【発明の属する技術分野】
本発明は、プリンタ等の画像処理装置に着脱可能なユニット、ユニットを着脱可能な画像処理装置に関する。
【０００２】
【従来の技術】
従来から、プリンタやスキャナ、或いは複写機などの画像処理装置に対して着脱可能なユニットが存在しており、この種のユニットの中にはメモリを備えたものも存在していた。
【０００３】
例えば、電子写真画像形成プロセスを用いた電子写真プリンタにおいては、電子写真感光体、及び、電子写真感光体に作用するプロセス手段、たとえば帯電手段、現像手段、クリーニング手段などを着脱可能なユニットとして一体的にカートリッジ化したプロセスカートリッジ方式が採用されている。このプロセスカートリッジ方式によれば、プリンタのメンテナンスをサービスマンによらず、ユーザ自身が行うことができるので、格段に利便性を向上させることができる。現在このプロセスカートリッジ方式は、電子写真プリンタにおいて広く用いられている。
【０００４】
このような電子写真プリンタにおいては、特開平１０-１９８２３６に記載されている通り、プロセスカートリッジの内部に通信可能な不揮発性メモリを設けたものが公知である。不揮発性メモリーには、ＩＤナンバー、製造メーカー名、再利用履歴（回数）などを記憶保持させている。
【０００５】
プリンタには、不揮発性メモリから画像形成動作に必要な情報を読み込む送受信部が設けられている。そして、プリント動作を開始するにあたり、予め不揮発性メモリ内に記憶保持されている上記の情報を、送受信部を介して読み込み、その情報を使用してプリンタ各部の制御を行いながらプリント動作を行う。
【０００６】
【発明が解決しようとする課題】
近年、ユーザへのサービス向上を目的として、顧客情報をより詳細に管理したいという要望も出てきている。そのため、上記のような情報以外に、ユーザの個人情報を記憶させることも想定される。
【０００７】
しかし、個人情報は機密情報であり、メモリに記憶させた場合には、その情報が簡単に読み取られ使われてしまうという問題が発生することが想定される。
【０００８】
本発明は、上記従来技術の課題を解決するためになされたもので、その目的とするところは、画像処理装置に着脱可能であり記憶手段を備えたユニットおよびユニットを着脱可能に構成する画像処理装置を改良することにある。
【０００９】
さらに、本発明の他の目的は、画像処理装置に着脱可能なユニットの記憶手段に格納された機密情報を確実に保護することにある。
【００１０】
【課題を解決するための手段】
画像処理装置に着脱可能で、画像処理装置に装着されて画像形成のための動作を行うユニットであって、
前記ユニット固有の情報であって、該ユニットを管理するための情報を記憶する第１データ領域と、
前記ユニットを使用するユーザに関する情報を記憶する第２データ領域とを有する記憶手段を有し、
前記ユーザに関する情報は、前記第１データ領域に記憶された前記ユニットを管理するための情報を暗号化キーとして使用して暗号化されて前記第２データ領域に記憶される情報であることを特徴とする。
【００１１】
記憶手段を備えた画像形成のためのユニットが着脱可能であり、
前記記憶手段へのデータの読み書きを制御する制御手段を有する画像処理装置であって、
前記記憶手段は、前記ユニット固有の情報であって、該ユニットを管理するための情報を記憶する第１データ領域と前記ユニットを使用するユーザに関する情報を記憶する第２データ領域とを有し、
前記制御手段は、前記第１データ領域に記憶された前記ユニットを管理する情報を使用して前記ユーザに関する情報を暗号化して、暗号化した情報を前記第２データ領域に対して書き込むよう制御することを特徴とする。
【００１２】
画像処理装置に着脱可能で、画像処理装置内で画像形成のための動作を行うユニットに搭載される記憶装置であって、
前記ユニット固有の情報であって、該ユニットを管理するための情報を記憶する第１データ領域と、前記ユニットを使用するユーザに関するの情報を記憶する第２データ領域とを有し、
前記ユーザに関するの情報は、前記第１データ領域に記憶された前記ユニットを管理するための情報を使用して暗号化されて前記第２データ領域に書き込まれる情報であることを特徴とする。
【００１３】
【発明の実施の形態】
以下に、図面を参照して、この発明の好適な実施の形態を例示的に詳しく説明する。ただし、この実施の形態に記載されている構成要素の相対配置等は、特に特定的な記載がない限りは、この発明の範囲をそれらのみに限定する趣旨のものではない。
【００１４】
（一実施の形態）
本発明に係る画像処理装置の一実施の形態として、着脱可能なプロセスカートリッジを備えた電子写真プリンタについて説明する。このプロセスカートリッジは記憶手段として不揮発性メモリを搭載している。本実施形態では、電子写真方式のプリンタに着脱可能なプロセスカートリッジのメモリに、暗号化データと非暗号化データとを区別して格納する。
【００１５】
また、プロセスカートリッジとは、帯電手段、現像手段、クリーニング手段のうちの少なくとも一つと、電子写真感光体とを一体的にカートリッジ化し、このカートリッジをプリンタに対し、着脱可能とするものである。
【００１６】
先ず、図１は、本実施形態に係る電子写真プロセスを用いた電子写真プリンタの概略構成図であり、例えばレーザビームプリンタの場合を示している。レーザビームプリンタ１（以下、プリンタ１）は、記録紙Ｓを収納するカセット３０２を有し、カセット３０２の記録紙Ｓの有無を検知するカセット有無センサ３０３、カセット３０２の記録紙Ｓのサイズを検知するカセットサイズセンサ３０４（複数個のマイクロスイッチで構成される）、カセット３０２から記録紙Ｓを繰り出す給紙ローラ３０５等が設けられている。そして、給紙ローラ３０５の下流には記録紙Ｓを同期搬送するレジストローラ対３０６が設けられている。
【００１７】
また、レジストローラ対３０６の下流にはレーザスキャナ部３０７からのレーザ光に基づいて記録紙Ｓ上にトナー像を形成するプロセスカートリッジ８が設けられている。さらに、プロセスカートリッジ８の下流には記録紙Ｓ上に形成されたトナー像を熱定着する定着器３０９が設けられており、定着器３０９の下流には排紙部の搬送状態を検知する排紙センサ３１０、記録紙Ｓを排紙する排紙ローラ３１１、記録の完了した記録紙Ｓを積載する積載トレイ３１２が設けられている。
【００１８】
また、レーザスキャナ３０７は、画像信号（画像信号ＶＤＯ）に基づいて変調されたレーザ光を発光するレーザユニット３１３、このレーザユニット３１３からのレーザ光を感光ドラム１７上に走査するためのポリゴンモータ３１４、結像レンズ３１５、折り返しミラー３１６等により構成されている。
【００１９】
そして、プロセスカートリッジ８は、感光ドラム１７、１次帯電ローラ１９、現像器２０、転写帯電ローラ３２１、クリーナ２２、そして不揮発性メモリ部３からなる。メモリ部３は、プリント動作パラメータ、ＩＤナンバー、製造メーカー名、再利用履歴（回数）などを記憶保持する不揮発性メモリ、プリンタ１との通信を行うための電極、およびこれらを制御する制御部等から構成されている。
【００２０】
更に、プリンタ１には、メモリ部３と通信を行ってメモリ部３内部にある不揮発性メモリ（不図示）のデータを送受信するための通信電極などを有する送受信部２が組み込まれている。
【００２１】
メモリ部３および送受信部２の各々の電極部は、カートリッジ装着時に電極部が互いに適度な圧力を持って接触するような構造となっており、電極線を通じてメモリ部３へのプリンタ側からの電源供給およびデータの授受を行っている。メモリ部３は、プリント動作パラメータ、ＩＤナンバー、製造メーカー名、再利用履歴（回数）などを内蔵する不揮発性メモリに記憶している。この情報は、プロセスカートリッジ毎に個別に設定されている。場合によっては、使用状況に応じて更新される場合もある。情報更新時には、データが接触電極を介してメモリ部３へ送られ、不揮発性メモリに書き込まれる。
【００２２】
また、定着器３０９は定着フィルム３０９ａ、加圧ローラ３０９ｂ、定着フィルム内部に設けられたセラミックヒータ３０９ｃ、セラミックヒータの表面温度を検出するサーミスタ３０９ｄから構成されている。
【００２３】
メインモータ３２３は、給紙ローラ３０５には給紙ローラクラッチ３２４を介して、レジストローラ対３０６にはレジストローラ３２５を介して駆動力を与えており、更に感光ドラム１７を含むプロセスカートリッジ８の各ユニットや、定着器３０９や、排紙ローラ３１１にも駆動力を与えている。
【００２４】
エンジンコントローラ３２６は、レーザスキャナ部３０７、プロセスカートリッジ８、定着器３０９を制御することによる電子写真プロセスの制御、プリンタ１内の記録紙の搬送制御を行っている。
【００２５】
ビデオコントローラ３２７は、パーソナルコンピュータ等の外部装置３３１と汎用のインタフェース（セントロニクス、ＲＳ２３２Ｃ等）３３０で接続されており、この汎用インタフェースから送られてくる画像情報をビットデータに展開し、そのビットデータをＶＤＯ信号として、エンジンコントローラ３２６へ送出している。
【００２６】
エンジンコントローラ３２６では、プリント動作を開始するにあたり、予めメモリ部３内に記憶保持されている情報を、送受信部２を介して読み込み、そのパラメータに従って各部の制御を行いながらプリント動作を行う。
【００２７】
感光ドラム１７は、図中時計回り方向に所定の周速度（プロセススピード）にて回転駆動される。感光ドラム１７はその回転過程で帯電手段としての１次帯電ローラ１９により所定の極性・電位に一様に帯電処理される。一方、レーザスキャナ部３０７において、目的の画像情報の時系列電気デジタル画素信号に応じて、レーザビームが変調制御（ＯＮ／ＯＦＦ制御）される。このレーザビームは、感光ドラム１７の一様帯電面に対して走査露光され、感光ドラム１７の表面に目的の画像情報の静電潜像を形成する。感光ドラム１７上に形成された静電潜像は、現像手段としての現像部２０で現像材（トナー）により現像されて可視化される。
【００２８】
一方、給紙ローラ３０５の駆動により、給紙カセット３０２内に収納されている記録紙Ｓが一枚ずつ繰り出される。そして、転写手段としての転写ローラ３２１と感光ドラム１７との圧接部である転写ニップ部に、レジストローラ対３０６により所定の制御タイミングにて給送され、その記録紙Ｓの表面に感光ドラム１７面側のトナー画像が順次転写されていく。転写ニップ部を出た記録紙Ｓは、回転過程の感光ドラム１７の面から順次分離されて、トナー画像を定着させるための定着器３０９に導入される。定着フィルム３０９ａと加圧ローラ３０９ｂとの間を通過する記録紙Ｓに定着フィルム３０９ａを介してセラミックヒータ３０９ｃの熱を印加すると共に加圧ローラ３０９ｂにより圧力を加えて、記録紙Ｓ上のトナー画像を熱定着処理する。定着装置３０９を出た記録紙Ｓは、排紙ローラ３１１により積載トレイ３１２にプリントアウトされる。
【００２９】
また、記録紙Ｓが分離した後の感光ドラム１７は、クリーニング手段としてのクリーナ２２により転写残りトナー等の付着汚染物の除去処理を受けて清浄面化され、繰り返して帯電処理から始まる電子写真画像形成に供される。
【００３０】
メモリ部３内の不揮発性メモリは、図２のように、暗号化データ領域と共に非暗号化データ領域を有している。データの内容に応じて、書き込まれるメモリ上のアドレスが決められており、コントローラはこのアドレスに応じて、暗号化処理もしくは非暗号化処理を行っている。
【００３１】
このメモリに格納される暗号化データはユーザ個人情報である。製造メーカは、記憶されたユーザ個人情報に応じて、ユーザにカートリッジを再発送する際に利用したり、ユーザに対し有益な情報を公開したり、ユーザのプリンタ利用状況に応じた最適な使用方法の提案等を行うことができる。
【００３２】
また、非暗号化データとしては、プリント動作パラメータ、ＩＤナンバー、製造メーカー名、再利用履歴（回数）、など、カートリッジユニットの管理を行う際に有益な情報が含まれる。これらの情報をもとに、製造メーカーは容易に不揮発性メモリにアクセスして、カートリッジユニットに関する有用な情報を得て、管理する。具体的には、入手した情報に基づきプロセスカートリッジの部品等を再利用したり、トナーを再充填したりする作業を適切に行う。
【００３３】
これにより、ユーザ個人情報である機密情報が第三者に漏洩する懸念をする必要が無く、また一方で、製造メーカは、ユーザ個人情報をユーザへのサービス向上のために利用することができるようになる。
【００３４】
なお、不揮発性メモリ内部の非暗号化データ領域内部のデータを用いて、暗号化データ領域の暗号化処理および暗号解読処理が行われてもよい。この場合、送受信部内部などで、非暗号化データ領域内のデータを解読キーとして暗号化データが解読される。また、同様に暗号化領域に書き込むためのデータは、送受信部内部等において、非暗号化データ領域内のデータを暗号化キーとして暗号化される。
【００３５】
非暗号化データ領域内のデータを暗号化キーや解読キーとすれば、解読キーをプロセスカートリッジ毎に新たに設定する必要がなくなり、キー設定の手間を省くことができる。
【００３６】
なお、暗号化キーや解読キーとするデータは、非暗号化データ領域内の１つのデータを用いてもよいし、複数のデータを用いてもよい。
【００３８】
ここで、図４に基づき、データの暗号化および解読処理について詳細に説明する。
【００３９】
図４は、本実施の形態の画像処理装置における制御系を示すブロック図である。
【００４０】
図４において、エンジンコントローラ３２６は、図示してはいないがメインモータ、スキャナモータ、給紙クラッチ、レジストクラッチ、高圧ユニット、定着器ヒータ駆動回路などを制御し、画像処理装置１が画像形成するための制御を行っている。
【００４１】
そのためエンジンコントローラ３２６は、例えば、ワンチップのマイクロコンピュータで構成されるＣＰＵ５０やドライブ回路５１を搭載し、ドライブ回路５１は、図示してはいない画像形成に必要な駆動系のモータやクラッチなどを駆動する。
【００４２】
プロセスカートリッジ８に取り付けられたメモリ部３は、不揮発性メモリ３１を有しており、非暗号化データを記憶する非暗号化データ領域３１ａと暗号化データを記憶する暗号化データ領域３１ｂがある。
【００４３】
送受信部２はエンジンコントローラ３２６およびメモリ部３と通信を行うための通信回路２１とを有している。この通信回路２１はＣＰＵ５０とのシリアル信号インターフェース部（図示していない）を有しており、不揮発性メモリ３１のアドレス指定、リード・ライトの指定をして、記憶するデータおよびメモリから読み出したデータを時系列で信号ライン６０１にのせる。
【００４４】
さらに、通信回路２１は、ＣＰＵ５０からのシリアルデータ信号を通信に適したプロトコルに変換して送信する。また、メモリ部３から受信されたデータは、ＣＰＵ５０に適合するシリアルデータ信号に変換されてＣＰＵ５０へ送られる。
【００４５】
メモリ部３は、不揮発性メモリ３１と送受信部２とのデータの送受信および不揮発性メモリ３１とのアクセスを制御する送受信回路３２を有している。
【００４６】
次に、データ暗号化および解読の手順について述べる。
【００４７】
暗号化および解読の処理は、エンジンコントローラ３２６で行われる。まず、不揮発性メモリ３１の暗号化データ領域にユーザ個人情報などを書き込む場合、非暗号化データ領域から読み出したデータを暗号化キーとして使用する。そして、所定の暗号プログラムに従ってデータを暗号化する。
【００４８】
また、暗号化キーをエンジンコントローラ３２６内のＲＯＭ５２に記憶させないで、非暗号化データ領域から読み出したデータを暗号化キーとして使用する場合には、まず非暗号化データ領域のデータを読み出す。そして、読み出したデータを暗号化キーとして用いて、所定の暗号プログラムに従ってデータを暗号化する。
【００４９】
暗号化されたデータは、通信回路２１および送受信回路３を介して、不揮発性メモリ３１の暗号化データ領域に書き込まれる。
【００５０】
暗号化データ領域の暗号化データを読み出して解読する場合は、通信回路２１および送受信回路３２を介して不揮発性メモリ３１のから暗号化データを読み出し、暗号化処理の際に使用した暗号化キーを不揮発性メモリ３１の非暗号化データ領域から読み出して解読キーとして用いて、所定の解読プログラムに従って暗号化データを解読処理する。解読したデータはＣＰＵ５０に送信される。
【００５１】
なお、暗号プログラムおよび解読プログラムは、エンジンコントローラ３２６にあるＲＯＭ５２に記憶されている。
【００５２】
本実施の形態では、不揮発性メモリを搭載したプロセスカートリッジについて説明したが、本発明はこれに限定されるものではなく、メモリを搭載したユニットすべてに適用可能である。例えば、プロセスカートリッジ以外にも、定着ユニット、給紙ユニットなどに適用できる。ユーザ交換部品であるか、サービスマン交換部品であるかを問わず、全ての着脱可能なユニットに装着することが可能である。例えば、定着ユニットは、ヒータの抵抗値、ユニットに使用されている部品のメーカ（通常複数メーカの部品を使用するので）などにより、定着制御を変える場合がある。従って、これらの情報をパラメータとして定着ユニットのメモリに記憶させておけば、より細かな定着制御ができ、より良い画像品質をユーザに提供できる。
【００５３】
なお、本実施の形態では、データの暗号化領域と非暗号化領域がメモリ上のアドレスによって区別されているが、別々のチップ上に書き込む等、当然ハードウェア上で領域の区別を行っても差し支えない。また、データ個々に暗号化識別フラグ等を設け、暗号化データと非暗号化データの区別を行ってもよい。
【００５４】
＜一実施の形態の効果＞
本実施の形態によればプロセスカートリッジに装着される不揮発性メモリの内部情報のユーザ個人情報を暗号化して記憶させ、第三者に対して機密情報の漏洩を防止することができる。さらには、顧客情報をより詳細に管理することができる。
【００５５】
（他の実施の形態）
なお、メモリおよび送受信部は、非接触に通信してもよい。図３にあるように、メモリ部３を非接触メモリ部とし、プリント動作に必要な各種パラメータを記憶保持する不揮発性メモリ、画像処理装置本体との通信を行うための非接触通信アンテナ３ａ、およびこれらを制御する制御部３ｂ等から構成する。
【００５６】
更に、画像処理装置本体の送受信部２を、非接触メモリ部と通信を行っている不揮発性メモリのデータを送受信するための非接触通信アンテナ２ａなどを有する非接触送受信部とする。
【００５７】
非接触メモリ部と非接触送受信部との通信は、搬送波をＡＭ変調して行えばよい。非接触メモリ部は、非接触送受信部から発せられる搬送波の電磁界によって、電磁気的に受信アンテナに誘起された電圧を電源として用いれば、外部電源を必要としない。また、同時に、非接触送受信部から発せられるＡＭ変調された信号に従って、非接触メモリ内の制御部が不揮発性メモリのリードライトを行う。一方、非接触送受信部は、送受信アンテナに現れるインピーダンスの変化により非接触メモリからの信号を読取る。
【００５８】
なお、上記実施の形態では、電子写真感光体、及び、電子写真感光体に作用する帯電手段、現像手段、クリーニング手段などを着脱可能なユニットとして一体的にカートリッジ化したプロセスカートリッジ方式を挙げて説明したが、着脱可能なユニットの構成としてはプロセスカートリッジに限定されるものではなく、トナーを収容したトナーカートリッジなどにも適用可能である。
【００５９】
上記実施の形態では、電子写真プリンタについて説明したが、本発明はこれに限定されるものではなく、着脱可能に所定動作を行うユニットを備えた装置全てに適用できる。例えば、電子写真複写機、レーザビームプリンタ、ＬＥＤプリンタ、ファクシミリ装置、ワードプロセッサ、更にはスキャナやデジタルビデオカメラ、が含まれる。
【００６０】
また、上記実施の形態を実現するためには、適当なハードウェアを必要とするものの、その多くはソフトウェアによって実現できる。つまり、本発明は、上記実施の形態を実現するための装置のみに限定されるものではなく、上記装置内のプロセッサに、上記実施の形態を実現するためのプログラムを供給し、そのプロセッサがこのプログラムに従って動作することにより、上記実施の形態を実現する場合も含まれる。この場合、プログラム自体、及び、そのプログラムを格納した記録媒体までも本発明の範疇に含まれることになる。
【００６１】
このような記録媒体としては、例えば、フロッピーディスク、ハードディスク、光ディスク、光磁気ディスク、ＣＤ−ＲＯＭ、磁気テープ、不揮発性のメモリ、ＲＯＭ等を用いることができる。
【００６２】
【発明の効果】
本発明によれば、画像処理装置に着脱可能なユニットの記憶手段に格納された機密情報を確実に保護し、かつ、暗号化キー設定の手間を省くことができる。
【図面の簡単な説明】
【図１】本発明の一実施の形態におけるプリンタの概略構成を示した図である。
【図２】本発明の一実施の形態における不揮発性メモリ内のメモリマップを示す図である。
【図３】本発明の他の実施の形態におけるメモリ部と送受信部との通信の構成を示す図である。
【図４】本発明の実施の形態における制御ブロック図である。
【符号の説明】
１プリンタ
２送受信部
３メモリ部
８カートリッジユニット
３２６エンジンコントローラ
３２７ビデオコントローラ
３０７レーザスキャナ
５０ＣＰＵ
５１ドライブ回路
５２ＲＯＭ
２１通信回路
３１不揮発性メモリ
３１ａ不揮発性メモリの非暗号化データ領域
３１ｂ不揮発性メモリの暗号化データ領域
３２送受信回路
２ａ、３ａ非接触通信アンテナ
３ｂ通信制御部
【図１】
0004065491.tif 000002
【図２】
0004065491.tif 000003
【図３】
0004065491.tif 000004
【図４】
0004065491.tif 000005